(57)【要約】【課題】手間もコストもかけずに効率的に配管用貫通孔を形成することができる設備配管用スリーブを提供することである。【解決手段】設備配管用スリーブ１は、筒体２外周の適宜箇所に複数の固定用釘３が筒体２の下端から突出して取り付けられ、筒体２の下端縁には多数の線材６からなる保護材４が吊り下げられたものである。【選択図】    図１
2004316099.tif 000002
【特許請求の範囲】
【請求項１】
筒体外周の適宜箇所に複数の固定用釘が筒体の下端から突出して取り付けられ、筒体の下端縁には多数の線材からなる保護材が吊り下げられてなることを特徴とする設備配管用スリーブ。
【請求項２】
筒体内には出し入れ自在なコンクリート浸入防止具が入れられ、該コンクリート浸入防止具は引抜用摘みを備えた蓋体の裏面に多数の線材がブラシ状に設置されてなることを特徴とする請求項１に記載の設備配管用スリーブ。
【発明の詳細な説明】
【０００１】
【発明の属する技術分野】
本発明は設備配管用スリーブに関するものである。
【０００２】
【従来の技術】
建物の床面に配管用貫通孔を形成する設備配管用スリーブとして、例えば特開平８−１８９１７４号公報の発明が知られている。また近年おける床面の構築には、工期短縮のために鉄筋付きデッキスラブが多く使用されている。しかし、このデッキスラブにおける設備配管用スリーブの設置は、コンクリートの打設前に鉄筋を切断することができないため、図６に示すように、紙製ボイド１７に鉄筋挿入用の切り目１８を形成し、この切り目１８に鉄筋１９を入れ、その隙間をガムテープで塞いでいた。
【０００３】
【特許文献１】
特開平８−１８９１７４号公報（図１）
【０００４】
【発明が解決しようとする課題】
しかし、上記の紙製ボイドを使用した設備配管用スリーブは、切り目を入れる手間、切り目を入れることによる強度低下、切り目からのノロの浸入によるはつり作業の発生、紙製ボイドが廃材になるなどの問題があった。
【０００５】
本発明はこれらの問題に鑑みてなされたものであり、その目的は手間もコストもかけずに効率的に配管用貫通孔を形成することができる設備配管用スリーブを提供することである。
【０００６】
【課題を解決するための手段】
以上の課題を解決するための設備配管用スリーブは、筒体外周の適宜箇所に複数の固定用釘が筒体の下端から突出して取り付けられ、筒体の下端縁には多数の線材からなる保護材が吊り下げられた構成である。また筒体内には出し入れ自在なコンクリート浸入防止具が入れられ、該コンクリート浸入防止具は引抜用摘みを備えた蓋体の裏面に多数の線材がブラシ状に設置されてなることを含むものである。
【０００７】
筒体外周の適宜箇所に複数の固定用釘が筒体の下端から突出して取り付けられたことにより、筒体の下側に鉄筋挿入用空間を形成することができ、どこにでも配管用貫通孔を形成することができる。また筒体の下端縁に設けられた保護材によって、設備配管用スリーブ内へのコンクリートの浸入を防ぐことができる。また筒体内に入れられたコンクリート浸入防止具の線材で保護材内側の鉄筋挿入用空間が塞がれるので、コンクリートの浸入を確実に防ぐことができる。
【０００８】
【発明の実施の形態】
以下、本願発明の設備配管用スリーブ（以下スリーブという）の実施の形態を図面に基づいて詳細に説明する。スリーブ１は筒体２と、この外周に取り付けられた３本の固定用釘３と、筒体２下端に吊り下げられた保護材４とから構成されている。
【０００９】
筒体２は鋼製の円筒体であり、外周の固定用釘３が脚となって鉄筋を跨いで設置できるようになっている。これは筒体２下端から適宜伸びた固定用釘３により、筒体２の下側に鉄筋挿入用空間５が形成されたためであり、この空間５の外側が保護材４で塞がれてスリーブ１内へのコンクリートの浸入を防いでいる。
【００１０】
この保護材４はプラスチック製の線材６からなり、この線材６が下端縁に沿って連続的に取り付けられている。また線材６は可撓性があるため、先端が折れ曲がった状態で下面に接地されて、打設コンクリートのスリーブ１内への浸入を防ぐ。固定用釘３はガイド環７で取り付けられて、頭をハンマーで叩くと下側にスライドするようになっている。
【００１１】
一方、上記のスリーブ１内に入れられるコンクリート浸入防止具８は、引抜用摘み９を備えた円形の蓋体１０と、その裏面に設置された多数の線材６とから構成されている。この線材６は保護材と同じものであり、これらがブラシのように取り付けられている。また線材６の長さは保護材４と同じであり、コンクリート浸入防止具８がスリーブ１内に入ったときに、保護材４内側の鉄筋挿入用空間を塞ぐものとなる。
【００１２】
図２〜５は、上記のスリーブ１を用いた配管用貫通孔の形成方法を示したものである。はじめに、図２の（１）に示すように、デッキスラブ１１の上面に鉄筋１２を跨いでスリーブ１を設置するとともに、固定用釘３をハンマーで叩いてデッキスラブ１１に打ち込む。したがって、同図の（２）に示すように、鉄筋挿入用空間５に鉄筋１２の一部が入り込んだ状態でスリーブ１が固定されている。
【００１３】
次に、図３に示すように、スリーブ１にコンクリート浸入防止具８を入れて、その線材６で保護材４内側の鉄筋挿入用空間５を塞ぐ。次いで、図４に示すように、鉄筋１２上にスラブ上端筋１３を配筋し、デッキスラブ１１にコンクリート１４を打設する。このときスリーブ１は固定用釘３で固定されているため、コンクリート１４の打設圧でも動かず、保護材４と線材６とがスリーブ１内へのコンクリート１４の浸入を防ぐ。
【００１４】
次に、図５に示すように、コンクリート１４が硬化した後、コンクリート浸入防止具８をスリーブ１内から引き抜くと、ここにはコンクリート１４の浸入がないため、簡単に引き抜くことができる。次に、同図の（２）に示すように、スリーブ１内の鉄筋１２を切断して撤去した後、デッキスラブ１１に孔を開けて配管用貫通孔１５を形成する。このときスリーブ１はスラブに埋め殺されるが、スリーブ１から引き抜かれたコンクリート浸入防止具８は他に転用される。
【００１５】
【発明の効果】
手間もコストもかけずに効率的に設備配管用貫通孔を形成することができるとともに、廃材の発生も防ぐことができる。また、ノロの浸入によるはつり作業をなくすことができる。
【図面の簡単な説明】
【図１】（１）はコンクリート浸入防止具の斜視図、（２）はスリーブの斜視図である。
【図２】（１）はスリーブをデッキスラブに固定した断面図、（２）は同平面図である。
【図３】スリーブにコンクリート浸入防止具を入れる断面図である。
【図４】（１）はデッキスラブにコンクリートを打設した断面図である。
【図５】（１）はスリーブからコンクリート浸入防止具を引き抜いた断面図、（２）は同平面図である。
【図６】従来のスリーブをデッキスラブに設置した斜視図である。
【符号の説明】
１  スリーブ
２  筒体
３  固定用釘
４  保護材
５  鉄筋挿入用空間
６  線材
７  ガイド環
８  コンクリート浸入防止具
９  引抜摘み
１０  蓋体
１１  デッキスラブ
１２  鉄筋
１３  スラブ上端筋
１４  コンクリート
１５  配管用貫通孔
１７  ボイド
１８  切り目
１９  鉄筋
【図１】
2004316099.tif 000003
【図２】
2004316099.tif 000004
【図３】
2004316099.tif 000005
【図４】
2004316099.tif 000006
【図５】
2004316099.tif 000007
【図６】
2004316099.tif 000008